(57)【要約】【課題】  固体高分子型燃料電池を用いた発電装置において、燃料処理装置へ都市ガスを燃料ポンプによって供給する場合に、バッファタンクを要することなく圧力変動および流量変動を抑制して、燃料処理装置への安定した都市ガスの供給を行うことができるようにする。【解決手段】  固体高分子型燃料電池発電装置の燃料処理装置５へ都市ガスＴＧを供給する燃料ガス供給ライン１１に、都市ガスＴＧを所要圧力まで加圧するための燃料ポンプ２２と、上記都市ガスＴＧの流通に対し所要の抵抗を与えるための逆止弁３５と、上記燃料ポンプ２２の流量制御を行うための流量計２３とを上流より順に設け、上記燃料ガス供給ライン１１より送られる都市ガスＴＧの流通に対して上記逆止弁３５のクラック圧特性により所要の抵抗を与えることで、上記燃料ポンプ１１により生ずる都市ガスＴＧの脈動の振幅を抑え、圧力変動および流量変動を抑えるようにする。【選択図】図１
2006216283.tif 000002
【特許請求の範囲】
【請求項１】
燃料ガスを燃料処理装置で処理した後、固体高分子型燃料電池へ供給するようにした構
成を有する固体高分子型燃料電池発電装置における上記燃料処理装置へ燃料ガスを供給す
るようにしてある燃料ガス供給ライン上に、燃料ポンプを設けると共に、該燃料ポンプに
より加圧されて吐出された都市ガスの流通に対して所要の抵抗を与えるようにする調圧器
を設けた構成を有することを特徴とする固体高分子型燃料電池発電装置用都市ガス供給装
置。
【請求項２】
燃料ガスを燃料処理装置で処理した後、固体高分子型燃料電池へ供給するようにした構
成を有する固体高分子型燃料電池発電装置における上記燃料処理装置へ燃料ガスを供給す
るようにしてある燃料ガス供給ライン上に、燃料ポンプと流量計を設けると共に、該燃料
ポンプにより加圧されて吐出された都市ガスの流通に対して所要の抵抗を与えるようにす
る調圧器を設けた構成を有することを特徴とする固体高分子型燃料電池発電装置用都市ガ
ス供給装置。
【請求項３】
燃料ガスを燃料処理装置で処理した後、固体高分子型燃料電池へ供給するようにした構
成を有する固体高分子型燃料電池発電装置における上記燃料処理装置へ燃料ガスを供給す
るようにしてある燃料ガス供給ラインに、一旦分岐した後に再び合流するような複数の分
岐ラインを設けて、該各分岐ラインに、それぞれ燃料ポンプを設けると共に、該各燃料ポ
ンプにより加圧されて吐出された都市ガスの流通に対して所要の抵抗を与えるようにする
調圧器をそれぞれ設けた構成を有することを特徴とする固体高分子型燃料電池発電装置用
都市ガス供給装置。
【請求項４】
燃料ガスを燃料処理装置で処理した後、固体高分子型燃料電池へ供給するようにした構
成を有する固体高分子型燃料電池発電装置における上記燃料処理装置へ燃料ガスを供給す
るようにしてある燃料ガス供給ラインに、一旦分岐した後に再び合流するような複数の分
岐ラインを設けて、該各分岐ラインに、それぞれ燃料ポンプと流量計を設けると共に、該
各燃料ポンプにより加圧されて吐出された都市ガスの流通に対して所要の抵抗を与えるよ
うにする調圧器をそれぞれ設けた構成を有することを特徴とする固体高分子型燃料電池発
電装置用都市ガス供給装置。
【請求項５】
燃料ガスを燃料処理装置で処理した後、固体高分子型燃料電池へ供給するようにした構
成を有する固体高分子型燃料電池発電装置における上記燃料処理装置へ燃料ガスを供給す
るようにしてある燃料ガス供給ラインに、一旦分岐した後に再び合流するようにした複数
の分岐ラインを設けて、該各分岐ラインに、それぞれ燃料ポンプを設け、且つ上記各分岐
ラインを合流させた燃料ガス供給ライン上に、上記各燃料ポンプにより加圧されて吐出さ
れた都市ガスの流通に対して所要の抵抗を与えるようにする調圧器を設けた構成を有する
ことを特徴とする固体高分子型燃料電池発電装置用都市ガス供給装置。
【請求項６】
燃料ガスを燃料処理装置で処理した後、固体高分子型燃料電池へ供給するようにした構
成を有する固体高分子型燃料電池発電装置における上記燃料処理装置へ燃料ガスを供給す
るようにしてある燃料ガス供給ラインに、一旦分岐した後に再び合流するようにした複数
の分岐ラインを設けて、該各分岐ラインに、それぞれ燃料ポンプを設けると共に、該各燃
料ポンプの下流側又は上記各分岐ラインを合流させた燃料ガス供給ライン上に流量計を設
け、且つ上記各分岐ラインを合流させた燃料ガス供給ライン上に、上記各燃料ポンプによ
り加圧されて吐出された都市ガスの流通に対して所要の抵抗を与えるようにする調圧器を
設けた構成を有することを特徴とする固体高分子型燃料電池発電装置用都市ガス供給装置
。
【請求項７】
燃料ガス供給ライン上の燃料ポンプ吐出側の最上流側位置に、都市ガスの圧力変動を抑
える小容器を設けた請求項１又は２記載の固体高分子型燃料電池発電装置用都市ガス供給
装置。
【請求項８】
各分岐ライン上の各燃料ポンプ吐出側に、都市ガスの圧力変動を抑える小容器をそれぞ
れ設けた請求項３、４、５又は６記載の固体高分子型燃料電池発電装置用都市ガス供給装
置。
【請求項９】
各分岐ライン上の各燃料ポンプ吐出側における各分岐ラインを合流させた燃料ガス供給
ライン上に、都市ガスの圧力変動を抑える小容器を設けた請求項５又は６記載の固体高分
子型燃料電池発電装置用都市ガス供給装置。
【請求項１０】
調圧器を、所要のクラック圧特性を有する逆止弁とした請求項１、２、３、４、５、６
、７、８又は９記載の固体高分子型燃料電池発電装置用都市ガス供給装置。
【請求項１１】
逆止弁を、下流側の燃料処理装置へ都市ガスを供給するために要求される供給圧力より
も低いクラック圧特性を備えるものとした請求項１０記載の固体高分子型燃料電池発電装
置用都市ガス供給装置。
【発明の詳細な説明】
【技術分野】
【０００１】
本発明は、定置式の固体高分子型燃料電池発電装置における燃料処理装置に燃料ガスと
して都市ガスを供給する場合に用いる固体高分子型燃料電池発電装置用都市ガス供給装置
に関するものである。
【背景技術】
【０００２】
燃料電池は、燃料を用いた他の発電に比して熱効率が高く、又、環境汚染が少ないため
、有効な発電装置として期待されている。特に、固体高分子型燃料電池（ＰＥＦＣ）は、
１００℃以下という低温で発電が行なわれ、出力密度が高く、低温で作動するので、他の
形式の燃料電池に比して小型化でき、しかも、電池構成材料の劣化が少ないこと、起動が
容易であること、等の長所があることから、近年、小規模な業務用あるいは家庭用等の発
電装置として使用されるようになってきている。
【０００３】
上記固体高分子型燃料電池を用いた発電装置（ＰＥＦＣ発電装置）は、一般的に図１９
に概要を示す如き構成としてある。すなわち、電解質としてフッ素系のイオン交換膜が用
いられている固体高分子電解質膜の両面をカソード（空気極）２とアノード（燃料極）３
の両ガス拡散電極で挟持させてなるセルを、セパレータを介し積層してスタックとし、且
つ数セルに１つずつの冷却部４を備えてなる構成の固体高分子型燃料電池１を備えている
。更に、上記固体高分子型燃料電池１におけるアノード３の入口側には、改質器６、シフ
トコンバータ７、ＣＯ除去器８を上流側から順に備えている燃料処理装置５と、加湿器９
とが設けてあり、図示しない燃料供給源から供給される燃料ガス１２として天然ガスやメ
タノール等の原料を、脱硫反応器１０で脱硫した後、燃料ガス供給ライン１１により水蒸
気と共に上記燃料処理装置５の改質器６へ供給して水蒸気改質を行わせ、得られる改質ガ
ス（燃料ガス）１２ａを、シフトコンバータ７に導いてシフト反応させ、更に、ＣＯ除去
器８にてＣＯ除去処理した後、加湿器９を経て上記固体高分子型燃料電池１のアノード３
へ供給するようにしてある。一方、上記カソード２の入口側の加湿器９には、圧縮機（空
気ブロワ）１３が酸化ガス供給ライン１４を介して接続してあり、酸化ガスとして空気１
５が、圧縮機１３で圧縮された後、加湿器９を経て上記固体高分子型燃料電池１のカソー
ド２へ供給されるようにしてある。
【０００４】
かかる構成により、上記固体高分子型燃料電池１にて、アノード３側に供給される改質
ガス１２ａ中の水素と、カソード２側に供給される空気１５中の酸素とを電気化学反応（
電池反応）させて、この際発生する起電力を取り出すようにしてある。
【０００５】
なお、１６はアノード３の出口側より排出されるアノードオフガス１７を改質器の燃焼
室に導くためのアノードオフガスライン、１８は燃料ガス１２の一部を上記改質器６の燃
焼室に導くための燃料ガスライン、１９は空気１５の一部を上記改質器６の燃焼室に導く
ための空気ライン、２０は上記改質器６の燃焼室から排出される燃焼排ガス２１のガスラ
インである。
【０００６】
ところで、上記固体高分子型燃料電池１を用いた発電装置における燃料処理装置５の改
質器６に供給される燃料ガス１２として、都市ガスを用いる場合には、改質器６における
改質室中には触媒が密に充填されているために、都市ガス自体が有する２．０±０．５ｋ
Ｐａ程度の供給圧力だけでは充分な量の都市ガスを燃料処理装置５へ供給することが困難
である。そのため、都市ガスを燃料ポンプにて所要の圧力に加圧してから上記燃料処理装
置５へ送るようにしてある。
【０００７】
上記燃料ポンプにより加圧された都市ガスを燃料処理装置５へ供給する場合、供給され
る都市ガスの流量を制御して、燃料処理装置５へ所定流量の都市ガスが供給されるように
するために流量計が一般に用いられており、該流量計の計測値に基づき流量制御を行うよ
うにしてある。
【０００８】
図２０は、その概要を示すもので、図１９に示した固体高分子型燃料電池発電装置と同
様な構成において、燃料ガスとして都市ガスＴＧを燃料処理装置５に供給する場合に、燃
料ガス供給ライン１１に燃料ポンプ２２を設けて、該燃料ポンプ２２により都市ガスＴＧ
を加圧して吐出させるようにすると共に、該燃料ポンプ２２から吐出された都市ガスＴＧ
の流量を制御するためのものとして流量計２３を設けた構成としたものとしてある。すな
わち、都市ガスＴＧを燃料処理装置５の改質器６へ供給する燃料ガス供給ライン１１の途
中位置に、都市ガスＴＧを加圧するための燃料ポンプ２２を設け、該燃料ポンプ２２の下
流側に吐出された都市ガスＴＧの流量を検出するための流量計２３を設けて、都市ガスＴ
Ｇが燃料ポンプ２２で所要の圧力に加圧されて吐出されると、吐出された都市ガスＴＧの
流量を流量計２３で検出し、該検出された流量の計測値に基づいて燃料ポンプ２２の運転
制御を行い、上記燃料処理装置５へ供給される都市ガスＴＧの流量を制御するようにして
ある。都市ガスＴＧを加圧するための燃料ポンプ２２としては、ターボ式のポンプがある
が、このポンプでは所望圧力までの加圧が不十分になる虞があり、又、レシプロポンプで
は脈動が過大になる虞があると共に、装置が大型化してしまうという問題がある。そのた
め、一般に、ダイアフラムポンプやベローズ式ポンプ等の圧縮性流体用の容積型ポンプが
用いられている。
【０００９】
しかしながら、上記燃料ポンプ２２として用いられているダイアフラムポンプ等の圧縮
性流体用の容積型ポンプは、レシプロポンプ程ではないが、脈動が発生し、秒単位で変化
されるような圧力変動を伴って都市ガスＴＧが送られるようになる。又、上記ダイアフラ
ムポンプの如き容積型ポンプは、一行程で吐出する吐出量が変化せず、行程数を変化させ
ることで吐出量の調整を行うようにしてある機構上、特に低出力域で脈動が大きくなって
流量変動が大きくなるという特性がある。
【００１０】
このように燃料ポンプ２２より燃料処理装置５へ供給される都市ガスＴＧの流量の変動
が大きくなると、燃料処理装置５における都市ガスＴＧの改質反応に反応不良が生じる。
反応不良が生じると、燃料処理装置５より燃料電池１に対して供給される改質ガス中の一
酸化炭素濃度が増加して、固体高分子型燃料電池１の電極に用いられる触媒が被毒され、
該固体高分子型燃料電池１の発電電圧の低下を引き起こす虞がある。又、上記燃料処理装
置５に対し、水蒸気改質のために供給される水蒸気の量に対して制御誤差により過剰な量
の都市ガスＴＧが供給されてしまう場合には、該燃料処理装置５内で水蒸気／カーボンの
バランスが崩れてカーボンの析出が発生するという虞も懸念される。
【００１１】
又、上記流量計２３としては、計測対象が都市ガスＴＧであるということから、使用で
きる流量計の形式に制限があり、圧力タイプのものしか使用できないのが現状である。一
方、燃料ポンプ２２より供給される都市ガスＴＧが脈動して圧力変動が生じていると、上
記流量計２３の流量計側値に誤差が生じ、その誤差のある流量計測値が上記燃料ポンプ２
２にフィードバックされて該燃料ポンプ２２の運転制御が行われることになるため、更に
制御誤差は拡大してしまい、流量の変動が大きくなるという問題がある。
【００１２】
そのため、上記の燃料ポンプ２２より供給される都市ガスＴＧの圧力変動及び流量変動
を抑えるようにするために、燃料ポンプ２２より吐出される都市ガスＴＧの流量を調整す
るための流量調整器を燃料ポンプ２２の下流側に設けるようにしたものが従来提案されて
いる。
【００１３】
上記燃料電池発電装置において燃料ポンプの下流側に流量調整器を用いるようにしたも
のとしては、図２１に示す如き構成のものがある。
【００１４】
すなわち、改質器２４、シフトコンバータ（一酸化炭素変成器）３０、ＣＯ除去器（一
酸化炭素除去器）３１、燃料電池３２を備えている固体高分子型燃料電池発電装置におい
て、上記改質器２４へ燃料ガスとして都市ガスＴＧを供給するようにしてある供給管２５
に、上流側から、たとえば、ベローズ式ポンプ等が用いられている燃料ポンプとしての加
圧ポンプ２６と、流量調整器２７が接続されて設けてある構成としてある。これにより、
都市ガスＴＧは、供給管２５を通り改質器２４へ供給される前に加圧ポンプ２６により加
圧され、流量調整器２７で圧力及び流量を制御された後に、水蒸気発生装置２８より導か
れる水蒸気２９とともに上記改質器２４へ供給されるようにしたものが提案されている（
たとえば、特許文献１参照）。なお、図２１において、３３は空気中の酸素を供給するた
めのファンである。
【００１５】
又、上記加圧ポンプ２６の下流側に設ける流量調整器２７としては、一般に、バッファ
タンク（レシーバタンク）が用いられている。
【００１６】
なお、図２１に示したものには、加圧ポンプ２６の下流側に流量計は設けられていない
が、都市ガスＴＧの圧力変動に伴う流量計の生ずる制御誤差を抑えるためには、流量計と
流量調整器とを併用することが考えられる。
【００１７】
図２２は、図１９に示した固体高分子型燃料電池発電装置と同様な構成において、都市
ガスＴＧを燃料処理装置５へ供給するようにしてある燃料ガス供給ライン１１に、燃料ポ
ンプ２２を設けると共に、その下流側にバッファタンク３４と流量計２３とを上流より順
に設けるようにしたものである。これによれば、燃料ポンプ２２より吐出された都市ガス
ＴＧの圧力変動を上記バッファタンク３４により抑制することができ、その後に上記流量
計２３で都市ガスＴＧの流量検出を行うようにしてあることから、上記流量計２３におけ
る燃料ポンプ２２の運転制御誤差を抑制して燃料処理装置５への安定した都市ガスＴＧの
供給が可能となる。
【００１８】
【特許文献１】特開２０００−２９９１２０号公報
【発明の開示】
【発明が解決しようとする課題】
【００１９】
ところが、小規模な業務用あるいは家庭用等の発電装置として上記固定高分子型燃料電
池発電装置を使用するためには、発電装置全体をより小型化することが望まれる。これに
対し、上記バッファタンク３４は、数リットルの容積を有するものであるため、かかる小
型化の障害となるという問題がある。
【００２０】
又、固体高分子型燃料電池の負荷が大きくて、燃料処理装置５に供給すべき都市ガスＴ
Ｇの量が多い場合には、複数台の燃料ポンプを並列運転させることが考えられる。この場
合は、たとえば、図２０に示した燃料処理装置５への都市ガスＴＧの供給系統から、燃料
ガス供給ライン１１を複数に分岐して、各分岐ラインに燃料ポンプ２２をそれぞれ設ける
ようにし、該各燃料ポンプ２２を並列運転して燃料処理装置５へ都市ガスＴＧを供給する
ような供給系統とすることが考えられる。このような場合に、流量計２３を用いて上記各
燃料ポンプ２２の運転制御を行うようにするときには、たとえば、図２３に示す如く、各
分岐ライン１１ａ，１１ｂ，１１ｃに燃料ポンプ２２をそれぞれ設けるようにしたものに
おいて、上記各分岐ライン１１ａ，１１ｂ，１１ｃの各燃料ポンプ２２の下流側に流量計
２３をそれぞれ設けるようにし、複数台の燃料ポンプ２２で加圧されて供給される都市ガ
スＴＧの流量をそれぞれの流量計２３で検出して、上記各燃料ポンプ２２の運転制御をそ
れぞれ行うようにしたり、又は、図２４に示す如く、図２３に示したと同様に燃料ガス供
給ライン１１ａ，１１ｂ，１１ｃに燃料ポンプ２２をそれぞれ設けるようにした構成にお
いて、分岐ライン１１ａ，１１ｂ，１１ｃの合流点Ａの下流側に流量計２３を単数設ける
ようにして、複数台の燃料ポンプ２２により供給される都市ガスＴＧの総流量を単数の流
量計２３により検出して、上記各燃料ポンプ２２の運転制御を一括して行うようにするこ
とが考えられる。このように複数台の燃料ポンプ２２を並列運転する場合には、各燃料ポ
ンプ２２ごとに生じる脈動が干渉しあって更に脈動が大きくなる虞があり、流量の変動が
更に拡大される虞も生じる。特に、図２３に示した構成の場合には、それぞれの燃料ポン
プ２２に生ずる脈動に位相のずれがあるために、分岐ライン１１ａ，１１ｂ，１１ｃの合
流点Ａにおいて各分岐ライン１１ａ，１１ｂ，１１ｃを流れる都市ガスＴＧの供給圧力に
高低差が生じてしまい、供給圧力の低い方の分岐ラインの都市ガスＴＧが、供給圧力が回
復するまでのわずかな時間逆流する虞がある。かかる場合に、上記流量計２３が分岐ライ
ンの合流点Ａよりも上流側に設けられているために、都市ガスＴＧが流量計２３を逆流し
てしまい流量の変動がさらに拡大する虞が懸念される。そのため、図２３に示した構成に
対しては、図２５に示す如く、各分岐ライン１１ａ，１１ｂ，１１ｃにおいて、バッファ
タンク３４を燃料ポンプ２２と流量計２３との間にそれぞれに設置するようにすることが
考えられる。又、図２４に示した構成に対しては、図２６に示す如く、各分岐ライン１１
ａ，１１ｂ，１１ｃにおいて、各燃料ポンプ２２と分岐ラインの合流点Ａとの間にバッフ
ァタンク３４をそれぞれに設けるようにしたり、又は、図２７に示す如く、燃料ガス供給
ライン１１において、分岐ラインの合流点Ａと流量計２３との間に、バッファタンク３４
を単数設けるようにすることが考えられる。しかし、このようにすれば、都市ガスＴＧの
流量変動及び圧力変動を抑えることができるが、図２５や図２６に示した構成においては
、バッファタンク３４を複数台設けなければならず、又、図２７に示した構成においても
、複数台の燃料ポンプ２２により供給される都市ガスＴＧを単数のバッファタンク３４で
処理するため、該バッファタンク３４はより大型のものを設けなければならず、いずれも
発電装置全体が大型化してしまうという問題がある。
【００２１】
そこで、本発明は、固体高分子型燃料電池を用いた発電装置における燃料処理装置へ燃
料ガスとして都市ガスをダイアフラムポンプ等の燃料ポンプを用いて供給する場合に、バ
ッファタンクを流量調整器として用いることなく圧力変動及び流量変動を抑制して、燃料
処理装置への安定した都市ガスの供給を行うことができる固体高分子型燃料電池発電装置
用都市ガス供給装置を提供しようとするものである。
【課題を解決するための手段】
【００２２】
本発明は、上記課題を解決するために、燃料ガスを燃料処理装置で処理した後、固体高
分子型燃料電池へ供給するようにした構成を有する固体高分子型燃料電池発電装置におけ
る上記燃料処理装置へ燃料ガスを供給するようにしてある燃料ガス供給ライン上に、燃料
ポンプ又は燃料ポンプと流量計を設けると共に、該燃料ポンプにより加圧されて吐出され
た都市ガスの流通に対して所要の抵抗を与えるようにする調圧器を設けた構成とする。
【００２３】
又、燃料ガスを燃料処理装置で処理した後、固体高分子型燃料電池へ供給するようにし
た構成を有する固体高分子型燃料電池発電装置における上記燃料処理装置へ燃料ガスを供
給するようにしてある燃料ガス供給ライン上に、一旦分岐した後に再び合流するような複
数の分岐ラインを設けて、該各分岐ラインに、それぞれ燃料ポンプを設けるか、又はそれ
ぞれ燃料ポンプと流量計を設けると共に、該各燃料ポンプにより加圧されて吐出された都
市ガスの流通に対して所要の抵抗を与えるようにする調圧器をそれぞれ設けた構成とする
。
【００２４】
更に、上記構成と同様な構成において、各分岐ラインに、それぞれ燃料ポンプを設け、
且つ、上記各分岐ラインを合流させた燃料ガス供給ライン上に、上記各燃料ポンプにより
加圧されて吐出された都市ガスの流通に対して所要の抵抗を与えるようにする調圧器を設
けた構成とするか、又は各分岐ラインに、それぞれ燃料ポンプを設けると共に、該各燃料
ポンプの下流側又は上記各分岐ラインを合流させた燃料ガス供給ライン上に流量計を設け
、且つ上記各分岐ラインを合流させた燃料ガス供給ライン上に、上記各燃料ポンプにより
加圧されて吐出された都市ガスの流通に対して所要の抵抗を与えるようにする調圧器を設
けた構成とする。
【００２５】
又、上記の構成において、燃料ガス供給ライン上の燃料ポンプ吐出側の最上流側位置や
、各分岐ライン上の燃料ポンプ吐出側、あるいは各分岐ラインを合流させた燃料ガス供給
ライン上に、都市ガスの圧力変動を抑える小容器を設けた構成とする。
【００２６】
更に、上記の構成において、調圧器を、所要のクラック圧特性を有する逆止弁とし、又
、この逆止弁は、下流側の燃料処理装置へ都市ガスを供給するために要求される供給圧力
よりも低いクラック圧特性を備えたものとした構成とするようにする。
【発明の効果】
【００２７】
本発明の固体高分子型燃料電池発電装置用都市ガス供給装置によれば、次の如き優れた
効果を発揮する。  
（１）燃料処理装置へ燃料ガスを供給する燃料ガス供給ライン上に、都市ガスを加圧して
供給させるようにする燃料ポンプを設けて、該燃料ポンプにより加圧されて吐出された都
市ガスを、クラック圧特性を有する逆止弁の如き調圧器に通して燃料処理装置へ供給する
ようにしてあるので、燃料ポンプの吐出側の都市ガスの脈動を調圧器で抑えることができ
て、都市ガスの圧力変動及び流量変動を減少させ、圧力及び流量の安定した都市ガスを燃
料処理装置へ供給することができる。  
（２）燃料ガス供給ライン上に燃料ポンプと流量計が設けてある構成のものに、上記（１
）のように調圧器を設けた構成とすることにより、上記（１）と同様の効果が得られるほ
かに、燃料ポンプの吐出側において調圧器により都市ガスの脈動が減少するため、流量計
の表示の誤差及び流量計測不良を引き起すことがなくなり、流量計を用いた流量制御が容
易となる。  
（３）燃料供給ラインを一旦分岐した後に再び合流するような複数の分岐ラインを設け、
該各分岐ラインにそれぞれ燃料ポンプを設けて複数台の燃料ポンプの並列運転を行わせる
ようにした構成における各分岐ライン上の燃料ポンプの吐出側に、クラック圧特性を有す
る逆止弁の如き調圧器を、各燃料ポンプに対応して複数設けるか、又は各分岐ラインを合
流させた燃料供給ライン上に単数設けるようにした構成とすることにより、上記（１）の
効果のほかに、複数台の燃料ポンプの脈動により他の燃料ポンプが不安定性を引き起すと
いう現象を回避することができ、複数台の燃料ポンプの並列運転において安定した供給系
統を作ることができる。  
（４）上記（１）（２）（３）の効果により、下流側の燃料処理装置に供給される都市ガ
スの圧力及び流量が安定することから、燃料処理装置でのカーボン析出や反応不良を防止
することができ、これにより燃料処理装置の寿命延長を図ることが可能となる。  
（５）又、燃料ポンプで加圧されて吐出される都市ガスを燃料処理装置へ供給する燃料供
給ライン又は各分岐ライン上に、小容器を設けて、クラック圧特性を有する逆止弁の如き
調圧器と併用することにより、小容器による圧力変動の抑制に加えて調圧器による圧力変
動及び流量変動が抑えられるので、より有効に都市ガスを安定化させることができる。  
（６）調圧器としてクラック圧特性を有する逆止弁を用いるようにすることにより、大容
量のバッファタンクを省略することができて、発電装置をコンパクト化することができる
。  
（７）又、上記（６）の如き逆止弁を用いることにより、該逆止弁と併用する小容器を小
さいものとすることができ、小容器を用いるものでも小型化を図ることができる。  
（８）逆止作用をもつ逆止弁を用いることから、燃料処理装置へ供給される都市ガスや燃
料処理装置からの改質ガスが燃料ポンプ側へ逆流して来る問題をなくすことができると共
に、クラック圧特性をもつ逆止弁であることから、燃料ポンプを起動した時点において、
都市ガスが下流に流れ出る問題も解決できる。
【発明を実施するための最良の形態】
【００２８】
以下、本発明を実施するための最良の形態を図面を参照して説明する。
【００２９】
図１は本発明の固体高分子型燃料電池発電装置用都市ガス供給装置の実施の一形態を示
すもので、以下のような構成としてある。
【００３０】
すなわち、図１９に示したものと同様に、固体高分子型燃料電池発電装置における燃料
処理装置５の上流側の燃料ガス供給ライン１１に、上記燃料処理装置５に供給する燃料ガ
スとしての都市ガスＴＧを加圧するための燃料ポンプ２２と、該燃料ポンプ２２で加圧さ
れて吐出された都市ガスＴＧの流量を検出してその値により燃料ポンプ２２の吐出流量を
制御するようにしてある流量計２３を設けた構成において、上記流量計２３の下流側に、
上記燃料ポンプ２２より加圧されて供給される都市ガスＴＧの流通に対して所要の抵抗を
与えるようにする調圧器、たとえば、逆止弁３５を設けて、都市ガスＴＧを燃料処理装置
５の方向にのみ流すようにしたものである。
【００３１】
又、上記燃料ポンプ２２としては、たとえば、ダイアフラムポンプやベローズ式ポンプ
等の圧縮性流体用の容積型ポンプを用いるようにし、上記流量計２３としては、圧力タイ
プのものを用いるようにしてある。更に、上記逆止弁３５としては、逆止作用及びクラッ
ク圧特性を有するものとし、且つクラック圧及び都市ガスＴＧ通過時の圧力損失が後段の
燃料処理装置５における圧力損失以下となるものを用いるようにする。たとえば、上記燃
料ポンプ２２の吐出圧が１００％であった場合に、上記逆止弁３５のクラック圧が２５％
程度となるようにする。
【００３２】
上記構成としてあるので、燃料ガスとして都市ガスＴＧは、燃料ポンプ２２で所望圧力
まで加圧された後、流量計２３及び逆止弁３５を経て燃料処理装置５へ供給される。この
際、流量計２３の下流側に設けた逆止弁３５は、都市ガスＴＧの流通に対する圧力ダンパ
としての機能を果たすことになる。そのため、流量計２３を通過した後の都市ガスＴＧの
脈動が生じていても、逆止弁３５を通過することにより脈動は減少させられる。すなわち
、上記逆止弁３５は、クラック圧特性により流れを止めない程度に都市ガスＴＧの流通に
対して一定の負荷（抵抗）を与えることとなり、都市ガスＴＧの脈動による圧力変動及び
流量変動を抑えることができる。これにより、下流の燃料処理装置５の改質器６へ供給さ
れる都市ガスＴＧの圧力及び流量を安定化させることができ、これに伴い燃料処理装置５
内でのカーボン析出や反応不良の問題をなくすことができる。又、逆止弁３５により都市
ガスＴＧの流量及び脈動を安定化できるため、たとえ、逆止弁３５の上流側で脈動が大き
くて、流量計２３で計測される都市ガスＴＧの流量の変動があったとしても、その変動は
徐々に抑えられて来る。その結果、燃料ポンプ２２の脈動が大きくなって流量計２３を用
いての流量制御ができなくなるというようなことをなくすことができる。すなわち、流量
計２３が検出する流量計測値の誤差を軽減することができ、より正確な計測値に基づいて
燃料ポンプ２２の運転制御を行なうことができることになる。
【００３３】
更に、上述のように逆止弁３５を用いたことにより、数リットルの容積を有するバッフ
ァタンクを用いる必要がなくなることで発電装置全体の小型化を図ることができ、又、逆
止弁３５の逆止作用により、都市ガスＴＧや改質ガスの燃料ポンプ２２側への逆流を防止
でき、又、クラック圧特性をもつ逆止弁３５を用いていることから、燃料ポンプ２２を起
動した時点において都市ガスＴＧが下流に流れ出るようなこともなくすことができる。
【００３４】
図２は、本発明の実施の他の形態を示すもので、図１に示した実施の形態を変形したも
のである。すなわち、図１に示したと同様の構成において、逆止弁３５を流量計２３の下
流側に設けた構成に代えて、燃料ポンプ２２と流量計２３の間に逆止弁３５を設けるよう
にしたものである。
【００３５】
その他の構成は図１に示したものと同様であり、同一のものには同一の符号が付してあ
る。
【００３６】
この実施の形態によれば、燃料ガスとして都市ガスＴＧは、燃料ポンプ２２で所望圧力
まで加圧された後、逆止弁３５及び流量計２３を経て燃料処理装置５へ供給される。この
際、流量計２３の上流側に設けてある逆止弁３５が圧力ダンパとしての機能を果たすこと
になるため、燃料ポンプ２２から吐出された都市ガスＴＧの圧力変動及び流量変動を、逆
止弁３５で抑制することができて、燃料処理装置５の改質器６へ安定した都市ガスＴＧを
供給することができ、図１に示した実施の形態の場合と同様の効果を得ることができる。
その上、この実施の形態の場合には、燃料ポンプ２２の吐出側に逆止弁３５があって、燃
料ポンプ２２から吐出された都市ガスＴＧの脈動を逆止弁３５で減少させることができ、
脈動が減少した状態の都市ガスＴＧが流量計２３に導かれるようにしてあることから、流
量計２３の表示の誤差や流量計測不良の問題は、より有効的に解消させることができると
共に、流量制御を容易に行わせることができるようになるという利点がある。
【００３７】
次に、図３は、本発明の実施の別の形態を示すもので、図１に示した構成のものを、並
列に配置して、複数台（３台の場合を示す）の燃料ポンプ２２を並列運転するようにした
ものである。
【００３８】
すなわち、燃料ポンプ２２の吐出側に流量計２３を設け、その下流側に逆止弁３５を設
けて、都市ガスＴＧの圧力及び流量を安定化させて燃料処理装置５へ供給するようにして
ある構成において、上記燃料ポンプ２２を並列に配置して、それぞれ燃料ガス供給ライン
１１の分岐ライン１１ａ，１１ｂ，１１ｃに接続して設け、該各燃料ポンプ２２の下流側
に、それぞれ流量計２３と逆止弁３５を上流から順に設け、各々の逆止弁３５を経て都市
ガスＴＧを下流側の燃料処理装置５へ供給するようにしたものである。
【００３９】
この実施の形態によれば、各分岐ライン１１ａ，１１ｂ，１１ｃごとに流量計２３の下
流側に図１に示したと同様の逆止弁３５が設けられて、燃料ポンプ２２から吐出された都
市ガスＴＧの圧力変動及び流量変動を逆止弁３５で安定化させて下流側の燃料処理装置５
の改質器６へそれぞれ安定した都市ガスＴＧを供給することができるので、図１に示した
ものと同様の作用効果が得られる。又、固体高分子型燃料電池の負荷が大きくて、燃料処
理装置５に供給すべき都市ガスＴＧの量が多いために、燃料ポンプ２２を複数台並列運転
して燃料処理装置５へ都市ガスＴＧを供給するようにしてある場合においても、各流量計
２３の下流側に設けた各逆止弁３５が、それぞれ都市ガスＴＧの流通に対する圧力ダンパ
としての機能を果たすことができるので、各燃料ポンプ２２から吐出される都市ガスＴＧ
の脈動を減少させることができる。これにより、各分岐ライン１１ａ，１１ｂ，１１ｃご
とに燃料ポンプ２２の吐出側の都市ガスＴＧの脈動による圧力変動と流量変動を減少させ
ることができて、燃料処理装置５に安定した圧力と流量の都市ガスＴＧを供給することが
できる。
【００４０】
更に、複数台の燃料ポンプ２２を並列運転する場合には、各燃料ポンプ２２ごとに生じ
る脈動が互いに干渉しあって脈動が大きくなり、他の燃料ポンプ２２が不安定になる虞が
あるが、このような場合にも、各分岐ライン１１ａ，１１ｂ，１１ｃにそれぞれ逆止弁３
５を設けてあることから、各分岐ライン１１ａ，１１ｂ，１１ｃを流れる都市ガスＴＧの
脈動が干渉し合っても、逆止弁３５を通過することにより、脈動抑えることができるよう
になる。そのため、各燃料ポンプ２２の脈動により他の燃料ポンプ２２の不安定性を引き
起すという現象を避けることができ、流量制御が難しくなるということを未然に防止でき
る。したがって、複数台の燃料ポンプ２２を並列運転する場合に燃料処理装置５の改質器
６へ安定した都市ガスＴＧの供給を行うことができる。
【００４１】
更に又、複数台の燃料ポンプ２２の並列運転の場合においては、それぞれの燃料ポンプ
２２に生ずる脈動に位相のずれがあるために、分岐ラインの合流点Ａにおいて各分岐ライ
ン１１ａ，１１ｂ，１１ｃを流れる都市ガスＴＧの供給圧力に高低差が生じてしまい、供
給圧力の低い方の分岐ラインの都市ガスＴＧが、供給圧力が回復するまでのわずかな時間
逆流するような虞があるが、本発明では各分岐ライン１１ａ，１１ｂ，１１ｃに逆止弁３
５が設けてあるため、各逆止弁３５の逆止作用によって逆流を防ぐことができる。その結
果、分岐ラインの合流点Ａよりも上流側に設けられている各流量計２３に、都市ガスＴＧ
が逆流する虞を防ぐことができ、流量変動を拡大させるようなことを未然に防ぐことがで
きる。
【００４２】
図４は、本発明の実施の更に別の形態を示すもので、図２に示したものを、並列に配置
して、複数台の燃料ポンプ２２を並列運転させるようにしたものである。
【００４３】
すなわち、燃料ポンプ２２の吐出側に逆止弁３５を設け、その下流側に流量計２３を設
けて、燃料ポンプ２２から吐出された都市ガスＴＧの脈動を逆止弁３５で抑えて、圧力及
び流量を安定化させた都市ガスＴＧを流量計２３を経て下流側の燃料処理装置５へ供給す
るようにしてある構成において、上記燃料ポンプ２２を並列に配置して、それぞれ燃料ガ
ス供給ライン１１の分岐ライン１１ａ，１１ｂ，１１ｃに接続して設け、該各燃料ポンプ
２２の下流側に、図２に示す場合と同様に逆止弁３５と流量計２３を上流から順にそれぞ
れ設け、各々の流量計２３を経て燃料処理装置５へ都市ガスＴＧを供給するようにしたも
のである。
【００４４】
このように構成したものでは、前記した図２の場合と同様の作用効果が得られるほかに
、図３に示した場合と同様に、燃料ポンプ２２を複数台並列運転して燃料処理装置５へ都
市ガスＴＧを供給する場合に、各燃料ポンプ２２から吐出された都市ガスＴＧを各々の逆
止弁３５により脈動を減少させることができて、燃料処理装置５の改質器６へ供給される
都市ガスＴＧの圧力変動及び流量変動を抑制して安定化させることができ、燃料処理装置
５でのカーボン析出や反応不良をなくすことができる。又、図３の実施の形態と同様に、
各燃料ポンプ２２ごとに生じる脈動が互いに干渉しあっても脈動が大きくなるという問題
を解決できる。
【００４５】
又、図５は、本発明の実施の他の形態として、図３に示した実施の形態の応用例を示す
もので、図３に示したものと同様の構成において、流量計２３の下流側の各分岐ライン１
１ａ，１１ｂ，１１ｃに逆止弁３５をそれぞれ設けた構成に代えて、各分岐ライン１１ａ
，１１ｂ，１１ｃの合流点Ａの下流側の燃料ガス供給ライン１１に単数の逆止弁３５を設
けるようにしたものである。
【００４６】
その他の構成は図３に示したものと同様であり、同一のものには同一の符号が付してあ
る。
【００４７】
この実施の形態によれば、図３に示したものと同様に燃料ポンプ２２を複数台並列運転
して燃料処理装置５へ都市ガスＴＧを供給する場合に、流量計２３の下流側で１つの逆止
弁３５により、燃料処理装置５へ供給される都市ガスＴＧの圧力変動及び流量変動を抑制
することができて、燃料処理装置５の改質器６へ安定した圧力及び流量の都市ガスＴＧを
供給することができる。
【００４８】
このように、各燃料ポンプ２２から吐出される都市ガスＴＧの流量が各流量計２３で検
出される際、各燃料ポンプ２２の脈動に伴い圧力変動及び流量変動が生じていたとしても
、最下流側の１つの逆止弁３５で一旦安定化させられることから、各燃料ポンプ２２から
吐出される都市ガスＴＧの圧力変動、流量変動は徐々に抑えられて、大きな変動となるこ
とを防ぐことが可能となる。これにより燃料ポンプ２２の脈動が大きくて流量計２３の表
示の誤差や流量計測不良が生じるということも防止できて、燃料ポンプ２２の運転制御が
できないという事態を避けるようにすることができる。更に、この実施の形態では、逆止
弁３５は単数で済むため、各ラインに逆止弁３５を設ける場合に比して逆止弁３５の数を
減少できて、複数台の燃料ポンプ２２を並列運転する場合の発電装置をコンパクト化する
ことができる。
【００４９】
図６は、本発明の実施の他の形態として、図４に示した実施の形態の応用例を示すもの
で、図４に示したものと同様の構成において、各燃料ポンプ２２の吐出側に設けた各逆止
弁３５の下流側に流量計２３をそれぞれ設けた構成に代えて、各分岐ライン１１ａ，１１
ｂ，１１ｃの合流点Ａの下流側の燃料ガス供給ライン１１に単数の流量計２３を設けるよ
うにしたものである。その他の構成は、図４に示すものと同様である。
【００５０】
この実施の形態によれば、図４に示したものと同様に燃料ポンプ２２を複数台並列運転
して燃料処理装置５へ都市ガスＴＧを供給する場合に、各燃料ポンプ２２の脈動による圧
力変動及び流量変動が各逆止弁３５で抑えられることから、図４の場合と同様に燃料処理
装置５へ安定した都市ガスＴＧを供給できると共に、流量計２３を通過する都市ガスＴＧ
の流量変動は小さく抑えられているので、流量計２３が流量計測不良となることはない。
又、流量計２３の数を減少できるため、複数台の燃料ポンプ２２を並列運転する場合の発
電装置をコンパクト化させることができる。
【００５１】
次に、図７は、本発明の実施の更に他の形態を示すもので、図３に示す如く、燃料ポン
プ２２を複数台並列運転する場合において、流量計２３及び逆止弁３５をともに単数とし
て都市ガスＴＧを燃料処理装置５へ供給するようにしたものである。
【００５２】
すなわち、分岐ライン１１ａ，１１ｂ，１１ｃにそれぞれ設けた各燃料ポンプ２２の吐
出側の分岐ライン１１ａ，１１ｂ，１１ｃを合流点Ａで合流させて燃料ガス供給ライン１
１に接続し、該燃料ガス供給ライン１１に、上流側から順に単数の流量計２３と逆止弁３
５を設けた構成とする。その他の構成は図３に示したものと同様である。
【００５３】
この実施の形態によれば、各燃料ポンプ２２から吐出された都市ガスＴＧを合流させて
から１つの流量計２３で流量計測を行い、その下流側の逆止弁３５で都市ガスＴＧの圧力
変動及び流量変動を抑えることができるので、図３の実施の形態の場合と同様に安定した
都市ガスＴＧを燃料処理装置５の改質器６へ供給することができると共に、逆止弁３５に
よる脈動抑制により該逆止弁３５の上流側での都市ガスＴＧの脈動を安定化させて行くこ
とができて、流量計２３による流量制御ができなくなるということもなくすことができる
。又、複数台の燃料ポンプ２２を並列運転する場合において、流量計２３及び逆止弁３５
の数を減少できるので、発電装置のコンパクト化を図ることができる。
【００５４】
図８は本発明の実施の更に他の形態を示すもので、図４に示す如く、複数台の燃料ポン
プ２２を並列運転する場合において、逆止弁３５及び流量計２３をともに単数として都市
ガスＴＧを燃料処理装置５へ供給するようにしたものである。
【００５５】
すなわち、分岐ライン１１ａ，１１ｂ，１１ｃにそれぞれ設けた燃料ポンプ２２の吐出
側の分岐ライン１１ａ，１１ｂ，１１ｃを合流点Ａで合流させて燃料ガス供給ライン１１
に接続し、該燃料ガス供給ライン１１に、上流側から順に単数の逆止弁３５と流量計２３
を設けた構成とする。その他の構成は図４に示したものと同様である。
【００５６】
この実施の形態によれば、各燃料ポンプ２２から吐出された都市ガスＴＧを合流させて
から１つの逆止弁３５を通過させるようにする。これにより各燃料ポンプ２２から吐出さ
れた都市ガスＴＧの圧力変動及び流量変動を逆止弁３５により抑えることができて、図４
の実施の形態の場合と同様に安定した都市ガスＴＧを燃料処理装置５へ供給することがで
きる。又、図７の実施の形態の場合と同様に、複数台の燃料ポンプ２２を並列運転する場
合の発電装置のコンパクト化を図ることができる。
【００５７】
又、図９、図１０は、それぞれ図１、図２に示す各実施の形態の応用例を示すもので、
図１と図２の各実施の形態と同様な構成において、ともに、燃料ポンプ２２の吐出側の最
上流側に、吐出された都市ガスＴＧを一旦受入れて下流側へ流出させる都市ガスＴＧの圧
力変動及び流量変動を抑えるようにする小容器３６を流量調整器として設置し、該小容器
３６と逆止弁３５の組み合わせにより、圧力及び流量が安定した都市ガスＴＧを燃料処理
装置５の改質器６へ供給することができるようにしたものである。その他の構成は図１、
図２に示したものと同様であり、同一のものには同一符号が付してある。
【００５８】
上記小容器３６は、約２５〜５０ｍｌ程度のものであり、従来のバッファタンクと同様
の機能を有するものである。
【００５９】
このような構成とすることにより、燃料ポンプ２２から吐出される都市ガスＴＧの脈動
を、小容器３６のバッファタンクとしての機能により減らすことができるので、図１及び
図２の実施の形態の場合に比して燃料処理装置５の改質器６へ供給される都市ガスＴＧの
安定性をより高めることができる。この際、小容器３６と逆止弁３５を併用することによ
り、小容器３６としては、大容器のバッファタンクの容量を１／３００〜１／１５０まで
低減させたものとすることができて、小型化することができる。又、かかる小容器３６を
設置することにより、図１、図２の場合に比して流量計２３の計測値の安定性をより増大
させることができる。これにより、都市ガスＴＧの流量をより安定化させることができて
、下流側にある燃料処理装置５の性能の低下防止に更に有効なものとすることができる。
【００６０】
次いで、図１１、図１２、図１３、図１４、図１５及び図１６は、それぞれ図９、図１
０について説明したと同様に、それぞれ図３、図４、図５、図６、図７及び図８に示した
各実施の形態の応用例を示すもので、各実施の形態と同様な構成において、各燃料ポンプ
２２の吐出側に、各燃料ポンプ２２ごとに上述した如き構成の小容器３６を設置したもの
であり、その他の構成は図３乃至図８に示すものと同様であり、同一のものには同一符号
が付してある。
【００６１】
このような構成とすることにより、複数台の燃料ポンプ２２の並列運転において、小容
器３６のもつ機能により各燃料ポンプ２２の吐出側の脈動を小容器３６で抑えることがで
きて、各実施の形態ごとに燃料処理装置５の改質器６へ供給される都市ガスＴＧの圧力及
び流量をより安定化させることができると共に、流量計２３の計測値の安定性をより増大
させることができる利点がある。
【００６２】
又、図１７、図１８は、それぞれ図７、図８の実施の形態の応用例を示すもので、図１
７は燃料ガス供給ライン１１上の流量計２３の上流側に、上述したと同様の小容器３６を
、又、図１８は燃料ガスライン１１上の逆止弁３５の上流側に、上述したと同様の小容器
３６をそれぞれ単数設置したものである。その他の構成は図７、図８に示したものと同様
であり、同一のものには同一符号が付してある。
【００６３】
このような構成とすることにより、図７、図８の各実施の形態で複数台の燃料ポンプ２
２の並列運転を行う場合において、各燃料ポンプ２２から吐出された都市ガスＴＧの脈動
を、バッファタンクとして機能する１つの小容器３６により抑えることができて、図７、
図８の各実施の形態ともに燃料処理装置５の改質器６へ供給される都市ガスＴＧの圧力及
び流量をより安定化させることができると共に、流量計２３の計測値の安定性をより増大
させることができる。
【００６４】
なお、本発明は上記各実施の形態のみに限定されるものではなく、燃料ポンプ２２は、
ダイアフラムポンプやベローズ式ポンプ等の圧縮性流体用の容積型ポンプの場合を示した
が、燃料処理装置５へ所望圧力に加圧して供給できるものであれば、どのような形式のも
のでもよいこと、調圧器としてクラック圧特性を有する逆止弁３５を用いる場合を例示し
たが、逆止弁３５に限らず、流通する都市ガスＴＧに対して所要の抵抗を与え得るもので
あれば、他のものでもよいこと、又、流量計２３は、燃料ガスが都市ガスＴＧであること
から圧力タイプの場合を示したが、燃料処理装置５へ供給される都市ガスＴＧの流量を計
測できるものであればどのような形式のものでもよいこと、その他本発明の要旨を逸脱し
ない範囲内において種々変更を加え得ることは勿論である。
【実施例】
【００６５】
（１）以下、本発明者等の行った実験結果について説明する。  
本発明の固体高分子型燃料電池発電装置用都市ガス供給装置を用いて、燃料ポンプの流
量制御に用いている流量計の値と実際のガスの流量を測定した。本実験においては、図１
で示したと同様に燃料ポンプ２２が１台の構成としてあるものを使用した。実験方法とし
て、燃料処理装置５の所望供給圧に対応するようポンプ２次圧を設定し、この条件下にて
、ポンプ出力を２５％、５０％、７５％及び１００％とした４つの場合について、流量計
２３にて表示される計測値と実際の都市ガスＴＧの流量をそれぞれ測定した。又、比較と
して、上記と同様の構成における逆止弁３５が無しの場合についても流量計２３にて表示
される計測値と実際の都市ガスＴＧの流量をそれぞれ測定を行った。各々の結果を下表に
示す。  
なお、表１において測定値は、逆止弁有りの場合におけるポンプ出力１００％としたと
きの実流量を１．００とした場合についての相対値によって示してある。  
【表１】
2006216283.tif 000003
その結果、表１より明らかなように、流量計２３の表示値と実流量の値との差が、逆止
弁３５有りの場合の方が逆止弁３５無しの場合よりも小さくなっており、逆止弁３５を用
いた場合には、流量計２３の表示をより実流量に近い値とすることができることが判明し
た。
【００６６】
（２）次に、本発明の固体高分子型燃料電池発電装置用都市ガス供給装置の効果を、図６
で示したと同様に燃料ポンプ２２を複数台で並列運転する場合について、燃料ポンプ２２
の流量制御に用いている流量計２３の値と実際のガスの流量を測定した。なお、本実験に
おいては燃料ポンプ２２は４台並列運転させた場合の結果を示してある。実験方法として
は、実施例（１）と同様である。  
又、表２において測定値は、表１の場合と同様に逆止弁有りの場合におけるポンプ出力
１００％としたときの実流量を１．００とした場合についての相対値によって示してある
。  
【表２】
2006216283.tif 000004
その結果、表２より明らかなように、流量計２３の表示値と実流量の値との差が、逆止
弁３５有りの方が逆止弁３５無しの場合よりも小さい値となっていることが判明した。更
に、逆止弁３５が無しの場合には、流量計２３の表示にぶれが生じるようになった。これ
に対し、逆止弁３５が有る場合には、燃料ポンプ２２の流量制御に使っている流量計２３
の表示値を安定化させることができ、燃料ポンプ２２による流量制御が行い易くなること
が判明した。
【図面の簡単な説明】
【００６７】
【図１】本発明の固体高分子型燃料電池発電装置用都市ガス供給装置の実施の一形態を示す概要図である。
【図２】本発明の実施の他の形態を示す概要図である。
【図３】本発明の実施の別の形態を示す概要図である。
【図４】本発明の実施の更に別の形態を示す概要図である。
【図５】本発明の実施の他の形態として図３に示す実施の形態の応用例を示す概要図である。
【図６】本発明の実施の他の形態として図４に示す実施の形態の応用例を示す概要図である。
【図７】本発明の実施の更に他の形態として図３に示す実施の形態の変形例を示す概要図である。
【図８】本発明の実施の更に他の形態として図４に示す実施の形態の変形例を示す概要図である。
【図９】本発明の実施の更に別の形態として図１に示す実施の形態の応用例を示す概要図である。
【図１０】本発明の実施の更に別の形態として図２に示す実施の形態の応用例を示す概要図である。
【図１１】本発明の実施の更に別の形態として図３に示す実施の形態の応用例を示す概要図である。
【図１２】本発明の実施の更に別の形態として図４に示す実施の形態の応用例を示す概要図である。
【図１３】本発明の実施の更に別の形態として図５に示す実施の形態の応用例を示す概要図である。
【図１４】本発明の実施の更に別の形態として図６に示す実施の形態の応用例を示す概要図である。
【図１５】本発明の実施の更に別の形態として図７に示す実施の形態の応用例を示す概要図である。
【図１６】本発明の更に別の形態として図８に示す実施の形態の応用例を示す概要図である。
【図１７】本発明の実施の更に別の形態として図７に示す実施の形態の他の応用例を示す概要図である。
【図１８】本発明の実施の更に別の形態として図８に示す実施の形態の他の応用例を示す概要図である。
【図１９】従来の一般的な固体高分子型燃料電池発電装置の一例を示す概要図である。
【図２０】従来の固体高分子型燃料電池発電装置の燃料ガスとして都市ガスを用いる場合における燃料ポンプの吐出側に流量計を設けた場合の一例を示す概要図である。
【図２１】従来提案されている固体高分子型燃料電池発電装置の一例を示す概要図である。
【図２２】従来の固体高分子型燃料電池発電装置の燃料ガスとして都市ガスを用いる場合において燃料ポンプ吐出側の脈動を抑えるようにしたものの一例を示す概要図である。
【図２３】従来の固体高分子型燃料電池発電装置の燃料ガスとして都市ガスを用いる場合において複数台の燃料ポンプを並列運転するときの脈動を抑えるようにしたものの一例を示す概要図である。
【図２４】図２３の変形例を示す概要図である。
【図２５】従来の固体高分子型燃料電池発電装置の燃料ガスとして都市ガスを用いる場合において複数台の燃料ポンプを並列運転するときの脈動を抑えるようにしたものの他の例を示す概要図である。
【図２６】図２５の変形例を示す概要図である。
【図２７】図２５の更に他の変形例を示す概要図である。
【符号の説明】
【００６８】
ＴＧ  都市ガス
５  燃料処理装置
６  改質器
１１  燃料ガス供給ライン
１１ａ，１１ｂ，１１ｃ  分岐ライン
１２  燃料ガス
２２  燃料ポンプ
２３  流量計
３５  逆止弁（調圧器）
３６  小容器
【図１】
2006216283.tif 000005
【図２】
2006216283.tif 000006
【図３】
2006216283.tif 000007
【図４】
2006216283.tif 000008
【図５】
2006216283.tif 000009
【図６】
2006216283.tif 000010
【図７】
2006216283.tif 000011
【図８】
2006216283.tif 000012
【図９】
2006216283.tif 000013
【図１０】
2006216283.tif 000014
【図１１】
2006216283.tif 000015
【図１２】
2006216283.tif 000016
【図１３】
2006216283.tif 000017
【図１４】
2006216283.tif 000018
【図１５】
2006216283.tif 000019
【図１６】
2006216283.tif 000020
【図１７】
2006216283.tif 000021
【図１８】
2006216283.tif 000022
【図１９】
2006216283.tif 000023
【図２０】
2006216283.tif 000024
【図２１】
2006216283.tif 000025
【図２２】
2006216283.tif 000026
【図２３】
2006216283.tif 000027
【図２４】
2006216283.tif 000028
【図２５】
2006216283.tif 000029
【図２６】
2006216283.tif 000030
【図２７】
2006216283.tif 000031